(57)【要約】　　　（修正有）【課題】建築に用いられる長ネジを持ったボルトの長さ調節に使用される長ネジ調節用金物付きスタッド溶接ボルトに関するもので、この種の接続金物を簡単な工程で安価に提供する。【解決手段】上記の課題を解決する為、鋼板の一端にスタッド溶接ボルト２の多角形の頭部２ａ、他端に多角形のナット２ｂを配置しうる切り欠き１ａをプレス成型し、量産され安価に提供され得るスタッド溶接用のボルトとナットを装着した後、プレス成形により鋼板を折り曲げ固着するか、スポット溶接により固着する。【選択図】図１
2004116768.tif 000002
【特許請求の範囲】
【請求項１】
対向する一端に、多角形の頭部を持つスタッド溶接ボルトの頭部の角、他端に多角形のナットの角を配置しうる切り欠きを持ち、ボルトが挿入しうる円筒状の本体と、プレスにより頭部が固定されたスタッド溶接ボルトと、軸方向及び回転方向ともにプレスにより固定されたナットからなり、鋼板を成形し製造することを特徴とする、長ネジ調節用金物付きスタッド溶接ボルト。
【請求項２】
対向する一端に、多角形の頭部を持つスタッド溶接ボルトの頭部の角、他端に多角形のナットの角を配置しうる切り欠きを持ち、ボルトが挿入しうる半筒状の二枚の鋼板をプレスかしめ、若しくはスポット溶接などにて成形し製造することを特徴とする特許請求の範囲第１項記載の金物。
【請求項３】
対向する一端に、多角形の頭部を持つスタッド溶接ボルトの頭部、他端に多角形のナットを配置しうる窪みを持つことを特徴とする特許請求の範囲第１項記載の金物。
【請求項４】
特許請求の範囲第１項第２項及び第３項記載の金物で、ナットを装着する側に螺合するボルトの廻り止め装置を一体成形したことを特徴とする金物。
【発明の詳細な説明】
【０００１】
【発明の属する技術分野】
本発明は、建築に用いられる長ネジを持ったボルトの長さ調節に使用される接続金物に関するもので、たとえば型枠固定用連結ボルトの長ネジ調節に使用されるスタッド溶接用ボルトの改良に係わるものである。
【０００２】
【従来の技術】
従来この種の金物は、鋳鉄製もしくは鋼管を絞り成型し、両端に雌ネジ部分をタップ成型した金物の一方に雄ネジ部を持ったスタッド溶接用のボルトを螺合し一体化するのが一般的である。
【０００３】
【発明が解決しようとする課題】
しかしながら、従来の金物は、雌ネジをタップ成型する為、工程が多く手間がかかる課題がある上に、雄ネジ部を持ったスタッド溶接用のボルトを螺合し一体化するさらなる手間を必要とする。
【０００４】
さらには使用建築現場において前記ボルトを螺合する前に何らかの理由でハンマー等で端部を叩く必要がある場合、端部からネジ山がある為、ネジ山を潰すおそれがある。
【０００５】
【課題を解決するための手段】
上記の課題を解決する為、鋼板の一端に多角形の頭部を持ったスタッド溶接ボルトの頭部の角、他端に多角形のナットの角を配置しうる切り欠き、若しくはそれらを配置しうる窪みをプレス成型し、多角形の頭付きスタッド溶接用のボルトと量産され安価に提供されているナットを装着した後、プレス成形により鋼板を折り曲げ固着するか、スポット溶接により固着する。従って両端に雌ネジ部分をタップ成型した金物の一方に雄ネジ部を持ったスタッド溶接用のボルトを螺合し一体化する必要がなく安価に提供できる。
【０００６】
端部にはボルト挿入ガイド部が形成されており、何らかの理由で端部をハンマー等で叩いた場合でもネジ山を潰すことがない。
【０００７】
【発明の実施の形態】
発明の実施形態を実施例にもとづき図面を参照して説明する。
図１は本発明の例の斜視図であり、鋼板をプレス成形により四角形の頭部を持つスタッド溶接ボルト２の頭部２ａと四角形のナット２ｂを装着できる切り欠き１ａとボルト挿入ガイド部３及びボルトが挿入しうる円筒状の本体１と、ボルト及びナットの脱着防止用折り返し部５により軸方向及び回転方向ともに固定されたスタッド溶接ボルト２とナット２ｂより構成されている。
【０００８】
図２は本発明の他の例の斜視図であり、対向する両端に四角形の頭部を持つスタッド溶接ボルト１２の頭部１２ａの角と四角形のナット１２ｂの角を配置しうる切り欠き１１ａ１１ｂと、ボルト挿入ガイド部１３及ボルトが挿入しうる半筒状の二枚の鋼板本体１４ａと１４ｂを相対して、ボルトとナットを軸方向及び回転方向ともに固定しうるように、ボルトとナットの配置後プレスかしめ若しくはスポット溶接などにて成形し製造する。
【０００９】
図３は本発明の他の例の斜視図であり、鋼板をプレス成形により六角形の頭部を持つスタッド溶接ボルト２２の頭部２２ａと六角形のナット２２ｂを装着できる窪み２１ａとボルト挿入ガイド部２３及びボルトが挿入しうる円筒状の本体２１と、ボルト及びナットの脱着防止用折り返し部２５により軸方向及び回転方向ともに固定されたスタッド溶接ボルト２２とナット２２ｂより構成されている。
【００１０】
図４は図１の本発明の金物に、螺合するボルトの廻り止め装置を一体成形した例の斜視図であり、３１は本体と一体に形成された螺合ボルトの廻り止め本体、３２はボルト挟み付け部、３３は叩き部、３４は折り曲げ部である。叩き部３３を叩く事により、折り曲げ部３４を支点とし、挟み付け部３２が螺合ボルトに食いつき、ボルトの回転を阻止しボルトの長さ調整後の位置決めを確定することが出来る。
【００１１】
図５は本発明の使用例であり、建築において、地下山止め壁４２に接してコンクリート壁４３を構築する場合、以下の手順で行われる。山止め壁４２の鉄骨心材に本発明の金物４１をスタッド溶接にて固着し、鉄筋４４を配置した後、長ネジを持った型枠固定用連結ボルト４５にて長さ調節をし、型枠４６を取り付ける、その後生コンを打設しコンクリート壁を構築したものである。
【００１２】
図６は一従来例の断面図である。
【００１３】
【発明の効果】
上記使用例において、型枠固定用連結ボルト４５を取り付ける前に、鉄筋４４を山止め壁４２と型枠４６との間に配置する、その後型枠固定用連結ボルト４５を取り付ける際、従来の接続金物では雌ネジ部分が固定されているため、手前の鉄筋４４が邪魔になり連結ボルトの軸と調節用金物の雌ネジ部の軸が一致せずに、うまく螺合出来ずにネジ山を損傷することがある。しかし本発明の金物にはナットを装着する切り欠きや窪みとナットとの間にわずかな隙間を設けることにより、軸に対してナットがわずかに振れる様に製作でき、ネジ山をつぶすことなく螺合することができる。
【００１４】
さらには、本発明の本体は鋼板をプレス加工にて形成されているから、螺合したボルトの廻り止め装置をスポット溶接など他の工程を掛けずに、一体にて成型することが容易にできる為、安価に供給できる効果もある。
【図面の簡単な説明】
【図１】本発明の一実施例を示す斜視図である。
【図２】本発明の他の実施例を示す斜視図である。
【図３】同じく本発明の他の実施例を示す斜視図である。
【図４】同じく本発明の他の実施例を示す斜視図である。
【図５】一使用例を示す縦断面図である。
【図６】一従来例の断面図である。
【符号の説明】
１　２１　４１　　　　　　　本体
１ａ　１１ａ　１１ｂ　　　　ナット装着用切り欠き
２１ａ　　　　　　　　　　　ナット装着用窪み部
２　１２　２２　　　　　　　頭付きスタッドボルト
２ａ　１２ａ　２２ａ　　　　スタッドボルト頭部
２ｂ　１２ｂ　　　　　　　　ナット
３　１３　２３　　　　　　　ボルト挿入ガイド部
５　２５　　　　　　　　　　折り返し部
１４ａ　１４ｂ　　　　　　　半筒状の本体
６　　　　　　　　　　　　　覗き穴
３１　　　　　　　　　　　　廻り止め本体
３２　　　　　　　　　　　　挟み付け部
３３　　　　　　　　　　　　叩き部
３４　　　　　　　　　　　　折り曲げ部
４２　　　　　　　　　　　　地下山止め壁
４３　　　　　　　　　　　　コンクリート壁
４４　　　　　　　　　　　　鉄筋アンカーボルトやスタッドボルト
４５　　　　　　　　　　　　型枠固定用連結ボルト
４６　　　　　　　　　　　　型枠
【図１】
2004116768.tif 000003
【図２】
2004116768.tif 000004
【図３】
2004116768.tif 000005
【図４】
2004116768.tif 000006
【図５】
2004116768.tif 000007
【図６】
2004116768.tif 000008